(57)【要約】【課題】カーテン生地に襞を付けるに際し、形状記憶をかける前段階でカーテン生地を型紙の襞に挾む時に、カーテン生地と型紙を均等な力で押さえてカーテン巾方向に拡張できると共に収縮も可能で、カーテン生地を挾み込む作業が少数の作業員で容易に短時間で行うことができ、かつ均一で整然とした襞を形成できるカーテン生地と型紙の挾み込み装置とする。【解決手段】カーテン生地Ａと型紙Ｂのカーテン丈方向の側端部をクランプし、カーテン生地Ａと型紙Ｂをカーテン巾方向に拡張又は収縮することにより、カーテン生地Ａを型紙Ｂの襞に挾み込む装置であって、長方形のテーブル１の長手方向に直交して、一対の移動バー２２をテーブル１の長手方向の略中央部を境に駆動装置により同時に接近又は離隔可能に対向して渡設する。移動バー２２の長手方向にカーテン生地Ａと型紙Ｂのカーテン丈方向の側端部をクランプするクランプ装置３０を間隔調節可能に複数設ける。両方の移動バー２２のクランプ装置３０を対向して配設する。【選択図】図１
2004263313.tif 000002
【特許請求の範囲】
【請求項１】
カーテン生地と型紙のカーテン丈方向の側端部をクランプし、カーテン生地と型紙をカーテン巾方向に拡張又は収縮することにより、カーテン生地を型紙の襞に挾み込む装置であって、長方形のテーブルの長手方向に直交して、一対の移動バーがテーブルの長手方向の略中央部を境に駆動装置により同時に接近又は離隔可能に対向して渡設され、移動バーの長手方向にカーテン生地と型紙のカーテン丈方向の側端部をクランプするクランプ装置が間隔調節可能に複数設けられ、両方の移動バーのクランプ装置は対向して配設されていることを特徴とするカーテン生地と型紙の挾み込み装置。
【請求項２】
カーテン生地と型紙のカーテン丈方向の側端部をクランプし、カーテン生地と型紙をカーテン巾方向に拡張又は収縮することにより、カーテン生地を型紙の襞に挾み込む装置であって、２台の長方形のテーブルが長辺側を対向させて所定の間隔をおいて配設され、両方のテーブルの長手方向に直交して、一方のテーブルの外側の長辺側から他方のテーブルの外側の長辺側に一対の移動バーが、テーブルの長手方向の略中央部を境に駆動装置により同時に接近又は離隔可能に対向して渡設され、移動バーの長手方向にカーテン生地と型紙のカーテン丈方向の側端部をクランプするクランプ装置が間隔調節可能に複数設けられ、両方の移動バーのクランプ装置は対向して配設されていることを特徴とするカーテン生地と型紙の挾み込み装置。
【請求項３】
移動バーの下面にテーブルの上面を転動するローラが設けられていることを特徴とする請求項１又は２記載のカーテン生地と型紙の挾み込み装置。
【請求項４】
移動バーの上面に長手方向にメジャーが設けられていることを特徴とする請求項１、２又は３記載のカーテン生地と型紙の挾み込み装置。
【発明の詳細な説明】
【０００１】
【発明の属する技術分野】
本発明は、カーテン生地に襞を付けるに際し、形状記憶の蒸熱処理を行う前工程として、カーテン生地を波形の襞を有する型紙に挾み込む時に、カーテン生地と型紙のカーテン巾方向の側端部をクランプし、カーテン生地と型紙をカーテン巾方向に拡張又は収縮することにより、カーテン生地を型紙の襞に挾み込む、挾み込み装置に関するものである。
【０００２】
【従来の技術】
従来、カーテン生地に襞を付けるに際し、形状記憶をかけるためカーテン生地を波形の襞を有する上下の型紙の間に挾み込んだ後に、カーテン生地と型紙を一緒に収縮して畳み込み、帯状体で巻き込み、形を固定し、形状記憶の蒸熱用釜内に収容し襞付けを行っている。
この蒸熱用釜内に入れる前段階で、カーテン生地を型紙に挾み込む時に、従来はカーテン丈方向の両側に２人ずつ４人の作業員でテーブル上に下側の型紙を拡張し、カーテン生地をこの型紙上に拡張し、下側の型紙を収縮しながらカーテン生地を下側の型紙の襞に挾み込み、その後にカーテン生地の上から上側の型紙を載せ、襞を合わせて上下の型紙でカーテン生地を挾み込んでいた。
【０００３】
しかし、カーテン生地を押えながら拡張したり収縮したりする時に、作業員の力の入れ方や力の緩め方に個人差があり、カーテン生地や型紙を均等に拡張や収縮できないため、カーテン生地を型紙に挾み込みにくく、大変な手間と時間の掛かる作業であると共に、カーテン生地の襞の仕上がりにも影響するのである。
【０００４】
又、カーテン生地を型紙に挾む装置としては、特開２００１ー２１４３６４のカーテンの襞付け装置と襞付け台、及び特開平８ー１０９５７５号のカーテンの襞付け方法が提案されているが、両発明は共にカーテン生地と型紙を挾んだ状態で装置と共に蒸熱処理するものであると共に、カーテン生地と型紙を拡張又は収縮して挾み込む装置ではない。
【０００５】
【発明が解決しようとする課題】
上記点より本発明は、カーテン生地に襞を付けるに際し、形状記憶をかける前段階でカーテン生地を型紙の襞に挾む時に、カーテン生地と型紙を均等な力で押えてカーテン巾方向に拡張できると共に収縮も可能で、カーテン生地を挾み込む作業が少数の作業員で容易に短時間で行うことができ、かつ均一で整然とした襞を形成できるカーテン生地と型紙の挾み込み装置を提供しようとするものである。
【０００６】
【課題を解決するための手段】
上記課題を解決するため請求項１の本発明カーテン生地と型紙の挾み込み装置は、カーテン生地と型紙のカーテン丈方向の側端部をクランプし、カーテン生地と型紙をカーテン巾方向に拡張又は収縮することにより、カーテン生地を型紙の襞に挾み込む装置であって、長方形のテーブルの長手方向に直交して、一対の移動バーがテーブルの長手方向の略中央部を境に駆動装置により同時に接近又は離隔可能に対向して渡設され、移動バーの長手方向にカーテン生地と型紙のカーテン丈方向の側端部をクランプするクランプ装置が間隔調節可能に複数設けられ、両方の移動バーのクランプ装置は対向して配設されていることを特徴とするものである。
【０００７】
このような構成とすることにより、カーテン生地と型紙をテーブル上の両方の移動バーの間にカーテン丈方向の側端部が移動バーと平行になるように載せ、移動バーに設けたクランプ装置でカーテン生地と型紙の側端部をクランプすれば確実に固定され、両方の移動バーはテーブルの長手方向の略中央部を境に駆動装置で同時に接近又は離隔可能となっているため、カーテン生地と型紙を均等な力で拡張又は収縮でき、したがって、型紙の襞にカーテン生地が綺麗に入り込み、作業者はカーテン生地の挾み込み作業が容易となる。
【０００８】
又、クランプ装置は移動バーの長手方向に間隔調節可能に設けられているため、カーテン生地の丈に応じてクランプする位置を変更可能である。
【０００９】
次に、請求項２の本発明カーテン生地と型紙の挾み込み装置は、カーテン生地と型紙のカーテン丈方向の側端部をクランプし、カーテン生地と型紙をカーテン巾方向に拡張又は収縮することにより、カーテン生地を型紙の襞に挾み込む装置であって、２台の長方形のテーブルが長辺側を対向させて所定の間隔をおいて配設され、両方のテーブルの長手方向に直交して、一方のテーブルの外側の長辺側から他方のテーブルの外側の長辺側に一対の移動バーが、テーブルの長手方向の略中央部を境に駆動装置により同時に接近又は離隔可能に対向して渡設され、移動バーの長手方向にカーテン生地と型紙のカーテン丈方向の側端部をクランプするクランプ装置が間隔調節可能に複数設けられ、両方の移動バーのクランプ装置は対向して配設されていることを特徴とするものである。
【００１０】
このような構成とすることにより、請求項１の装置の機能に加えて、カーテン生地の丈が長いものであっても、両方のテーブルに亘ってカーテン生地を載せることができる。
又、両方のテーブルは間隔をおいて配設されているため、両方のテーブルの間に作業者が立てば、１人で両方のテーブル上のカーテン生地と型紙のクランプ作業やカーテン生地の挾み込み作業を行うことができる。
【００１１】
次に、請求項３の本発明カーテン生地と型紙の挾み込み装置は、請求項１又は２のカーテン生地と型紙の挾み込み装置において、移動バーの下面にテーブルの上面を転動するローラが設けられていることを特徴とするものである。
【００１２】
このような構成とすることにより、クランプ装置の重量による移動バーの撓みを受けることができると共に、移動バーの移動もスムーズとなる。
【００１３】
次に、請求項４の本発明カーテン生地と型紙の挾み込み装置は、請求項１、２又は３のカーテン生地と型紙の挾み込み装置において、移動バーの上面に長手方向にメジャーが設けられていることを特徴とするものである。
【００１４】
このような構成とすることにより、クランプ装置の間隔調節を正確にでき、両方の移動バーのクランプ装置を正確な位置で対向させ、均等な力でカーテン生地と型紙の拡張又は収縮が可能となる。
【００１５】
【発明の実施の形態】
以下、本発明の一実施の形態を図面に基づき説明する。
図１は本発明カーテン生地と型紙の挾み込み装置の第１の形態の実施例を示す正面図、図２は同上の平面図、図３は同上の部分拡大縦断正面図、図４は同上の部分拡大縦断側面図、図５は補助テーブルの作用を示す縦断側面図である。
【００１６】
図１乃至図５において、図中１は長方形のテーブルであり、このテーブル１は鋼材製の角パイプから成る縦材２Ａ及び横材２Ｂで方形体状の脚枠２が形成され、この脚枠２上に木製の板体の表面にデコラボードを貼設した天板３がボルト等の止着部材（図示せず）で固定されている。
そして、脚枠２の下部にキャスター４が取り付けられると共に、要所にストッパーであるジャッキーボード５が設けられている。
【００１７】
６はテーブル１の長辺側の両側で、天板３に沿って脚枠２の上方にボルト及びナット等の止着部材７で固定した断面がＬ字形の長尺な鋼材から成る支持ブラケットであり、この支持ブラケット６に天板３の一端部から他端部に亘る長さの上部及び下部の片側の側部が開口された箱形のケース８が天板３の側部と平行に溶着されている。
このケース８は天板３の外側方に配設され、ケース８の側部にケース８の一端部から他端部に亘ってガイドレール９が溶着されている。
【００１８】
又、両側のケース８に、ケース８の長手方向の中央部を境に中央部寄りに左右一対のスプロケット軸１０、１０が間隔をおいてテーブル１の長手方向に直交して一方のケース８から他方のケース８に挿通され、ケース８内の一対のスプロケット軸１０の両端部に中央部側スプロケット１１、１１がそれぞれ設けられている。
又、両側のケース８内の両端部に一対の端部側スプロケット１２、１２がそれぞれ設けられ、両側の端部側スプロケット１２は対向している。
そして、左右一対の中央部側スプロケット１１から左右一対の端部側スプロケット１２に左右一対のチェーン１３がそれぞれ巻回されている。又両側のチェーン１３は対向している。
このチェーン１３は次の駆動装置により移動する。
【００１９】
すなわち、左右一対のスプロケット軸１０の何れか一方のスプロケット軸（図面では左側）に駆動スプロケット１４が固定され、この駆動スプロケット１４と脚枠２に取り付けた正逆回転可能な駆動モーター１５のモーター軸１６に固定したスプロケット１７間に駆動チェーン１８が巻回され、駆動モーター１５により駆動スプロケット１４は回動し、一方のスプロケット軸１０を駆動スプロケット１４と同一方向へ回動させる。
【００２０】
又、両方のスプロケット軸１０に歯車１９が固定され、両歯車１９は２個の同一径の中間歯車２０、２１を介して連絡し、この歯車機構により両方のスプロケット軸１０は反対方向に同時に回動するように構成されている。
これにより、ケース８の長手方向の中央部を境に左右一対のチェーン１３は反対方向に同時に移動する。
【００２１】
２２はテーブル１の天板３上に、天板３の長手方向に直交して設けた角パイプの鋼材から成り、天板３の長手方向の中央部を境に中央部より等距離に一対配設された移動バーであり、天板３の表面より僅かに間隙をおいて設けられている。この一対の移動バー２２の両端部に側板２３がそれぞれボルト等の止着部材又は溶接等により固定され、両端部の側板２３は対向する両側のチェーン１３にそれぞれ取り付られ、一対の移動バー２２はテーブル１の長手方向の中央部を境に等間隔の距離でチェーン１３により接近又は離隔可能に反対方向へ同時に移動する。
【００２２】
側板２３のチェーン１３への取り付けは、チェーン１３の一端を側板２３の進行方向の中央部側スプロケット１１側の側部付近に固定し、他端は中央部側スプロケット１１及び端部側スプロケット１２を巻回して側板２３の端部側スプロケット１２側の側部付近に固定する。
又、各側板２３の下部に２個のローラ２４が設けられ、このローラ２４はケース８に設けたガイドレール９上を走行し、移動バー２２の移動をスムーズにしている。
尚、中央部側スプロケット１１及び端部側スプロケット１２の近接付近に側板２３が接触するリミットスイッチ（図示せず）が設けられ、移動バー２２の移動限界を検知し、駆動モーター１５を停止する。
【００２３】
又、一対の移動バー２２の下面に天板３上を転動するローラ２５が設けられている。このローラ２５は移動バー２２の撓みを受けると共に、移動バー２２の移動をスムーズにしている。ローラ２５の数は１個又は２個程度でよい。
又、一対の移動バー２２の上面の長手方向の一端部から他端部に亘って両側部が移動バー２２の両側部より突出した巾広の板体２６がボルト等の止着部材（図示せず）で固定され、この板体２６の上面に長手方向の一端部から他端部に亘ってメジャー２７が付設されている。
【００２４】
３０は一対の移動バー２２の長手方向に間隔調節可能にそれぞれ複数設けたクランプ装置であり、両方の移動バー２２のクランプ装置３０は対向した位置に装着されている。
【００２５】
このクランプ装着３０は、移動バー２２の上面の板体２６の移動バー２２より突出した側部に嵌合する屈曲鈎部３１を両側に有し、締め螺子３２で移動バー２２の長手方向に摺動自在に固定された板状の摺動部材３３と、この摺動部材３３の対向する側の側部に背部が溶着され、水平部が受け板３４とされた略Ｌ字形に屈曲された取り付けブラケット３５と、この取り付けブラケット３５の前面にボルト及びナット等の止着部材で受け板３４に向けて下向きに固定されたエアーシリンダー３６と、このエアーシリンダー３６のピストンロッド３７に固定され昇降する押圧板３８から構成され、押圧板３８と受け板３４でカーテン生地Ａ及び波形の襞を有する型紙Ｂのカーテン丈方向の側端部を挾持する。
【００２６】
又、押圧板３８の下面にゴム等の滑り止め部材３９が、又受け板３４の上面に同様の滑り止め部材４０がそれぞれ当着されている。
これにより、押圧板３８と受け板３４でカーテン生地Ａ及び型紙Ｂの側端部を挾持し、移動バー２２が移動した時に外れることなく確実に挾持することが可能となる。
又、取り付けブラケット３５の側部にエアーシリンダー３６のピストンロッド３７を伸長又は短縮させるエアー切り換え弁４１のスイッチ４２が設けられている。
尚、移動バー２２の複数個のエアーシリンダー３６を片側ずつ一緒に連動してＯＮ、ＯＦＦする切り換え弁を操作し動作させるようにすることもできる。
４３はエアー流通パイプであり、エアー供給部（図示せず）に連絡する。
【００２７】
４４はテーブル１の長辺側の一方の側部に起倒可能に装着した補助テーブルであり、この補助テーブル４４はテーブル１の長手方向の中央部を境に左右一対設けられ、テーブル１のケース８の側部に長方形の一対の枠体４５が、その長辺側を蝶番４６で水平状態から９０°下方へ畳めるように連結され、この枠体４５の上部にテーブル１の天板３と同一材で略２分の１の長さの天板４７がボルト等の止着部材４８で固定されている。
【００２８】
又、枠体４５の短片側の両側部に支え杆４９の上部が枢着５０され、支え杆４９の下部に脚枠２の下部の横材２Ｂの角部に着脱可能に係止する略Ｌ形の係止片５１が固定されている。
この係止片５１が係止する横材２Ｂの箇所から対向側の横材２Ｂに、断面が略Ｕ字形の鋼材から成る溝杆５２が渡設され、支え杆４９の係止片５１を脚枠２の横材２Ｂから外し補助テーブル４４を畳んだ時、支え杆４９の下部が溝杆５２内を摺動し、支え杆４９が倒れる。
５３は枠体４５の両側部の支え杆４９間に渡設した棒状のストッパーであり、中央部に凹部５３Ａが形成され、この凹部５３Ａが補助テーブル４４の使用時に脚枠２の縦材２Ａに引っ掛かるように形成されている。
【００２９】
次に、このような構成を有する本発明装置の使用方法を図面に基づき説明する。
先ず、カーテン生地Ａが１枚の時は、波形の襞を有する型紙Ｂを襞が収縮した状態でテーブル１の中央部に載せる。この時、型紙Ｂのカーテン丈方向に当たる側端部が移動バー２２の平行になるように置き、移動バー２２は型紙Ｂの側端部の近くまで接近させておく。
そして、何れか一方の側の移動バー２２に設けられている各クランプ装置３０の受け板３４上に型紙Ｂの側端部を載せ、エアーシリンダー３６のスイッチ４２を押し、エアーシリンダー３６のピストンロッド３７を伸長させて押圧板３８を下降し、押圧板３８と受け板３４で型紙Ｂの側端部を挾持する。
【００３０】
次に、他方の側の移動バー２２に設けられている各クランプ装置３０の受け板３４上に、型紙Ｂの反対側の側端部と一緒にカーテン生地Ａのカーテン丈方向の一方の側端部を重ねて載せ、エアーシリンダー３６のスイッチ４２を押し、エアーシリンダー３６のピストンロッド３７を伸長させて押圧板３８を下降し、押圧板３８と受け板３４で型紙Ｂの側端部とカーテン生地Ａの側端部を一緒に挾持する（図６）。
【００３１】
そして、移動バー２２が離隔する方向へ移動するよう（後進）、手元のスイッチボックス（図示せず）の後進スイッチ（図示せず）を入れると、移動バー２２の移動で両クランプ装置３０は型紙Ｂの側端部を挾持したまま離れ、型紙Ｂはカーテン巾方向に伸長し、型紙Ｂが平らな状態になった時にスイッチボックスの停止スイッチ（図示せず）を入れ、移動バー２２の移動を停止する。
次に、カーテン生地Ａの挾持されていない側端部を作業員が手で掴んでカーテン生地Ａをカーテン巾方向に伸長して型紙Ｂ上に広げる（図７）。
【００３２】
そして、今度は駆動モーター１５を移動バー２２が接近する方向へ移動するよう（前進）、手元のスイッチボックスの前進スイッチ（図示せず）を入れると、移動バー２２の移動で両クランプ装置３０は接近し、型紙Ｂが収縮し元の状態に戻った時に停止スイッチ（図示せず）を入れ、移動バー２２の移動を停止する。この型紙Ｂの収縮時に、型紙Ｂ上に広げられたカーテン生地Ａは型紙Ｂの波形の襞内に挾み込まれる（図８）。
【００３３】
次に、両クランプ装置３０のスイッチ４２を押し、エアーシリンダー３６のピストンロッド３７を短縮して押圧板３８を上昇し、挾持を解除し、後は手作業でカーテン生地Ａの襞を綺麗に深く挾み込み、カーテン生地Ａの上に更に型紙Ｂを重ねて襞を揃えて上下２枚の型紙Ｂでカーテン生地Ａを挾み込み、バンドを巻いて固定し、蒸熱処理工程へ運ぶ。
【００３４】
次に、カーテン生地Ａを２枚目以降複数枚重ねて挾む時は、バンドで巻く前に１枚目のカーテン生地Ａを上下の型紙Ｂで挾んだ状態で重ねたままの一方の側端部を一方の側のクランプ装置３０に前同様の方法で挾持し、他方の側のクランプ装置３０に反対側の重ねたままの側端部と２枚目のカーテン生地Ａの一方の側端部を一緒に挾持させ、前同様の方法でクランプ装置３０を離開し、２枚の型紙Ｂとこれに挾まれた１枚目のカーテン生地Ａをカーテン巾方向に伸長し、平らな状態とし、次に２枚目のカーテン生地Ａの他方の側端部を作業員が手で掴んで２枚目のカーテン生地Ａを上部の型紙Ｂ上に広げた後、前同様の方法でクランプ装置３０を接近し、収縮時に２枚目のカーテン生地Ａを上部の型紙Ｂに挾み込み、この２枚目のカーテン生地Ａの上に更に型紙Ｂを重ね、以下同様にして３枚目以降を挾み込むことにより行われる。
【００３５】
次に、図９は本発明装置の第２の形態の一実施例を示した平面図である。
尚、図１乃至図５の第１の形態に相当する箇所には、それと同一符号を付してある。
この装置は丈の長いカーテン生地の場合に有効であって、２台の長方形のテーブル１、１が長辺側を対向させて所定の間隔をおいて並列されている。この間隔は作業員がテーブル１、１間に立って作業ができる間隔があればよい。
【００３６】
そして、両方のテーブル１、１の長手方向に直交して一方のテーブル１の外側（対向する側と反対側）の長辺側から他方のテーブル１の外側（対向する側と反対側）の長辺側に第１の形態と同様の構成の移動バー２２がテーブル１の長手方向の中央部を境に一対配設されている。
又、一方のテーブル１の外側（対向する側と反対側）の長辺側と、他方のテーブル１の外側（対向する側と反対側）の長辺側に第１の形態と同様の構成を有するケース８が設けられ、両側のケース８にケース８の長手方向の中央部を境に、中央部寄りに左右一対のスプロケット軸１０が間隔をおいて一方のケース８から他方のケース８に挿通され、ケース８内の一対のスプロケット軸１０の両端部に中央部側スプロケット１１、１１がそれぞれ設けられている。
【００３７】
又、両側のケース８内の両端部に一対の端部側スプロケット１２、１２がそれぞれ設けられ、両側の端部側スプロケット１２は対向している。
そして、左右一対の中央部側スプロケット１１から左右一対の端部側スプロケット１２に左右一対のチェーン１３がそれぞれ巻回されている。又両側のチェーン１３は対向している。
【００３８】
そして、対向するチェーン１３間に左右一対の移動バー２２がそれぞれ両端部を第１の形態と同様の構成により固定されている。
左右一対のチェーン１３は、第１の形態と同様の構成を有する駆動装置により反対方向へ同時に移動し、これにより一対の移動バー２２はテーブル１の長手方向の中央部を境に等間隔の距離で接近又は離接可能に反対方向へ同時に移動する。
【００３９】
又、図示されていないが、移動バー２２の両端部の側板２３でチェーン１３への取り付けや側板２３の下部にローラ２４が設けられて、このローラ２４はケース８に設けたガイドレール９上を走行するのも第１の形態と同様である。
【００４０】
又、移動バー２２の長手方向に、第１の形態と同様の構成を有するクランプ装置３０が間隔調節可能に設けられている。
又、一方のテーブル１の長辺側の外側縁の側部に、第１の形態と同様の構成の補助テーブル４４が起倒可能に装着されていることも同様である。
以上、本発明を実施形態に基づき具体的に説明したが、本発明は上記実施形態に限定されるものではない。
【００４１】
【発明の効果】
本発明によれば、カーテン生地に襞を付けるに際し、形状記憶をかける前段階で、カーテン生地を型紙に挾み込む時に、カーテン生地と型紙のカーテン丈方向の側端部をクランプ装置によりクランプし、カーテン生地と型紙をカーテン巾方向に均等に機械の力で拡張や収縮できるため、型紙の襞にカーテン生地が均一に入り込み、短時間で然も少数の作業員で挾み込む作業を容易に行うことができ、仕上がりも非常に綺麗で整然としたカーテンの襞となる。
【図面の簡単な説明】
【図１】本発明装置の一実施の形態を示す正面図である。
【図２】図１の平面図である。
【図３】図１の部分拡大縦断正面図である。
【図４】図１の部分拡大縦断側面図である。
【図５】補助テーブルの作用を示す縦断側面図である。
【図６】本発明装置の使用方法を示す説明図である。
【図７】本発明装置の使用方法を示す説明図である。
【図８】本発明装置の使用方法を示す説明図である。
【図９】本発明装置の他の実施の形態を示す平面図である。
【符号の説明】
１  テーブル
８  ケース
９  ガイドレール
１０  スプロケット軸
１１  中央部側スプロケット
１２  端部側スプロケット
１３  チェーン
１４  駆動スプロケット
１５  駆動モーター
１７  スプロケット
１８  駆動チェーン
１９  歯車
２０、２１  中間歯車
２２  移動バー
２４、２５  ローラ
２７  メジャー
３０  クランプ装置
３４  受け板
３６  エアーシリンダー
３８  押圧板
４４  補助テーブル
Ａ  カーテン生地
Ｂ  型紙
【図１】
2004263313.tif 000003
【図２】
2004263313.tif 000004
【図３】
2004263313.tif 000005
【図４】
2004263313.tif 000006
【図５】
2004263313.tif 000007
【図６】
2004263313.tif 000008
【図７】
2004263313.tif 000009
【図８】
2004263313.tif 000010
【図９】
2004263313.tif 000011